(57)【要約】      （修正有）【課題】照明の効果が向上し、夜間に低い場所にある品物を容易に探すことができ、照明装置として利用することができる発光帽子を提供する。【解決手段】着用部１１と、帽子ツバ１２と、を含み、着用部の外側に収容袋１１１が設けられる帽子本体１０と、帽子本体の外面に設けられる照明装置と、収容袋に収容され、収容袋から取出して、充電し、又は手持ち照明装置とすることができ、電池と、制御ユニットと、を含み、制御ユニットは、押圧式スイッチ３２１と、機能変換スイッチ３２２と、手持ち照明部３２３と、を含み、機能変換スイッチを切替えることにより、手持ち照明モード、又は電力供給モードに切替えることができる電力供給装置３０と、を備え、機能変換スイッチが手持ち照明モードに切替えられるときに、手持ち照明部が電池と電気的に連接し、機能変換スイッチが電力供給モードに切替えられるときに、照明装置が電池と電気的に連接する。【選択図】図１
0003159050.tif 000002
【実用新案登録請求の範囲】
【請求項１】
着用部と、帽子ツバと、を含み、前記着用部の外側に収容袋が設けられる帽子本体と、
前記帽子本体の外面に設けられる照明装置と、
前記収容袋に収容され、前記収容袋から取出して、充電し、又は手持ち照明装置とすることができ、電池と、制御ユニットと、を含み、前記制御ユニットは、押圧式スイッチと、機能変換スイッチと、手持ち照明部と、を含み、前記機能変換スイッチを切替えることにより、手持ち照明モード、又は電力供給モードに切替えることができる電力供給装置と、
を備え、
前記機能変換スイッチが前記手持ち照明モードに切替えられるときに、前記手持ち照明部が前記電池と電気的に連接し、このとき、前記押圧式スイッチを押圧することにより、前記手持ち照明部を持続に点灯し、又は消灯するようにすることができ、前記機能変換スイッチが前記電力供給モードに切替えられるときに、前記照明装置が前記電池と電気的に連接し、このとき、前記押圧式スイッチを押圧することにより、前記照明装置を点灯し、点滅し、又は消灯するようにすることができることを特徴とする手持ち照明装置機能付き発光帽子。
【請求項２】
前記照明装置は、更に、前記帽子ツバの前縁に設けられる前照明部と、前記着用部の前記帽子ツバ以外の外面に設けられる後照明部と、を含み、前記制御ユニットは、更に、前照明部コネクタと、後照明部コネクタと、充電コネクタと、を含み、前記前照明部コネクタが前記前照明部と電気的に連接し、前記後照明部コネクタが前記後照明部と電気的に連接し、前記充電コネクタが変圧器と電気的に連接し、前記変圧器がコンセントと電気的に連接し、電力が前記コンセントを介して前記電力供給装置に供給され、前記電池を充電することができることを特徴とする、請求項１に記載の手持ち照明装置機能付き発光帽子。
【請求項３】
前記電力供給装置は、更に、ケースと、電池台と、を含み、前記電池台は収容空間を有し、前記電池が前記収容空間に収容され、前記ケースの一側に開口が設けられ、前記開口により前記ケースの内部に前記電池台を配することができ、前記電池台を配すると、前記開口が封止され、且つ前記電池が前記制御ユニットと電気的に連接することを特徴とする、請求項１に記載の手持ち照明装置機能付き発光帽子。
【考案の詳細な説明】
【技術分野】
【０００１】
本考案は、帽子に関し、特に、手持ち照明装置とすることができ、そして発光機能を有する帽子に関するものである。
【背景技術】
【０００２】
帽子の使用が極めて広汎であり、特殊な帽子、特殊な機能を有する帽子および特殊な場合に利用される帽子を別として、一般の帽子の主な機能は、陽光の遮断または装飾であり、例えばアウトドアに活動しているときに帽子を着用することにより、陽光を遮断することができ、且つ酸性の雨水のユーザの頭に滴下することを回避することができる。そして科学技術の進展により、周囲を照明可能な発光子を帽子に取付けることがあり、そうすると、本来に手持ち照明装置を持つユーザの手は別の仕事をやることができる。
【０００３】
しかしながら、従来の照明機能を有する帽子は、照明および警告だけの目的を達成することができ、その発光子からの光線が直接に外部に投射し、光線を集中して特定の方向に投射することができないため、その照明効果が手持ち照明装置よりも良くない。そして従来の照明機能を有する帽子は、周囲を照明することができるが、夜間に低い場所にある品物を探す場合には、やはり手持ち照明装置を利用した方が便利である。
【考案の概要】
【考案が解決しようとする課題】
【０００４】
本考案の主な目的は、照明の効果が向上し、夜間に低い場所にある品物を容易に探すことができ、照明装置および発光帽子として利用することができ、その電力供給装置が手持ち照明装置とすることができる手持ち照明装置機能付き発光帽子を提供することにある。
【課題を解決するための手段】
【０００５】
本考案の手持ち照明装置機能付き発光帽子によると、着用部と、帽子ツバと、を含み、前記着用部の外側に収容袋が設けられる帽子本体と、前記帽子本体の外面に設けられる照明装置と、前記収容袋に収容され、前記収容袋から取出して、充電し、又は手持ち照明装置とすることができ、電池と、制御ユニットと、を含み、前記制御ユニットは、押圧式スイッチと、機能変換スイッチと、手持ち照明部と、を含み、前記機能変換スイッチを切替えることにより、手持ち照明モード、又は電力供給モードに切替えることができる電力供給装置と、を備え、前記機能変換スイッチが前記手持ち照明モードに切替えられるときに、前記手持ち照明部が前記電池と電気的に連接し、このとき、前記押圧式スイッチを押圧することにより、前記手持ち照明部を持続に点灯し、又は消灯するようにすることができ、前記機能変換スイッチが前記電力供給モードに切替えられるときに、前記照明装置が前記電池と電気的に連接し、このとき、前記押圧式スイッチを押圧することにより、前記照明装置を点灯し、点滅し、又は消灯するようにすることができることを特徴とする。
【０００６】
本考案の手持ち照明装置機能付き発光帽子によると、前記照明装置は、更に、前記帽子ツバの前縁に設けられる前照明部と、前記着用部の前記帽子ツバ以外の外面に設けられる後照明部と、を含み、前記制御ユニットは、更に、前照明部コネクタと、後照明部コネクタと、充電コネクタと、を含み、前記前照明部コネクタが前記前照明部と電気的に連接し、前記後照明部コネクタが前記後照明部と電気的に連接し、前記充電コネクタが変圧器と電気的に連接し、前記変圧器がコンセントと電気的に連接し、電力が前記コンセントを介して前記電力供給装置に供給され、前記電池を充電することができることを特徴とする。
【０００７】
本考案の手持ち照明装置機能付き発光帽子によると、前記電力供給装置は、更に、ケースと、電池台と、を含み、前記電池台は収容空間を有し、前記電池が前記収容空間に収容され、前記ケースの一側に開口が設けられ、前記開口により前記ケースの内部に前記電池台を配することができ、前記電池台を配すると、前記開口が封止され、且つ前記電池が前記制御ユニットと電気的に連接することを特徴とする。
【考案の効果】
【０００８】
本考案の手持ち照明装置機能付き発光帽子によれば、照明の効果が向上し、夜間に低い場所にある品物を容易に探すことができ、照明装置および発光帽子として利用することができ、その電力供給装置が手持ち照明装置とすることができるという効果を有する。
【図面の簡単な説明】
【０００９】
【図１】本考案の好適な実施例の手持ち照明装置機能付き発光帽子分解斜視図である。
【図２】本考案の好適な実施例の手持ち照明装置機能付き発光帽子の機能を示すブロック図である。
【図３】本考案の好適な実施例の電力供給装置の電子回路を示す模式図である。
【図４】本考案の好適な実施例の電力供給装置の分解斜視図である。
【図５】本考案の好適な実施例の発光帽子の使用状態を示す模式図である。
【図６】本考案の好適な実施例の手持ち照明装置の使用状態を示す模式図である。
【図７】本考案の好適な実施例の電力供給装置の充電状態を示す模式図である。
【考案を実施するための形態】
【００１０】
以下、本考案の実施の形態を図面に基づいて説明する。
まず、図１乃至図７を参照する。本考案の実施例の手持ち照明装置機能付き発光帽子は、帽子本体１０と、照明装置２０と、電力供給装置３０と、を含む。
【００１１】
帽子本体１０は、着用部１１と、帽子ツバ１２と、を含み、着用部１１の外側に収容袋１１１が設けられる。
【００１２】
照明装置２０は、帽子ツバ１２の前縁に設けられる前照明部２１と、着用部１１の帽子ツバ１２以外の外面に設けられる後照明部２２と、を含む。前照明部２１と後照明部２２は、発光ダイオードでもいいし、光ファイバーなどのフレキシブルな発光体でもよい。前照明部２１と後照明部２２が発光ダイオードを採用する場合には、前照明部２１と後照明部２２に少なくとも一つの発光ダイオードがそれぞれ設けられる。
【００１３】
電力供給装置３０は、収容袋１１１に収容され、収容袋１１１から取出して、充電し、又は手持ち照明装置とすることができ、電池３１と、制御ユニット３２と、を含み、制御ユニット３２は、押圧式スイッチ３２１と、機能変換スイッチ３２２と、手持ち照明部３２３と、前照明部コネクタ３２４と、後照明部コネクタ３２５と、充電コネクタ３２６と、を含む。
【００１４】
電力供給装置３０は、更に、ケース３３と、電池台３４と、を含み、電池台３４は収容空間３４１を有し、電池３１が収容空間３４１に収容され、ケース３３の一側に開口が設けられ、前記開口によりケース３３の内部に電池台３４を配することができ、電池台３４を配すると、前記開口が封止され、且つ電池３１が制御ユニット３２と電気的に連接する。押圧式スイッチ３２１と、機能変換スイッチ３２２と、手持ち照明部３２３と、前照明部コネクタ３２４と、後照明部コネクタ３２５と、充電コネクタ３２６は、ケース３３に配される。
【００１５】
前照明部コネクタ３２４は前照明部２１と電気的に連接することができ、後照明部コネクタ３２５は後照明部２２と電気的に連接することができる。
【００１６】
充電コネクタ３２６は、市電により充電することができ、変圧器４０と電気的に連接することができ、変圧器４０は、ＡＣ１１０ＶからＤＣ３Ｖ-５０ｍＡに変換することができるものであり、図７に示すように、変圧器４０がコンセント４１と電気的に連接し、電力がコンセント４１を介して電力供給装置３０に供給され、電池３１を充電することができる。
【００１７】
機能変換スイッチ３２２は、電力供給装置３０を手持ち照明モード又は電力供給モードに切替えることができる。機能変換スイッチ３２２が前記手持ち照明モードに切替えられるときに、手持ち照明部３２３が電池３１と電気的に連接し、このとき、押圧式スイッチ３２１を押圧することにより、手持ち照明部３２３を持続に点灯し、又は消灯するようにすることができ、機能変換スイッチ３２２が前記電力供給モードに切替えられるときに、照明装置２０が電池３１と電気的に連接し、このとき、押圧式スイッチ３２１を押圧することにより、照明装置２０を点灯し、点滅し、又は消灯するようにすることができる。
【００１８】
すなわち、機能変換スイッチ３２２が前記手持ち照明モードに切替えられるときには、押圧式スイッチ３２１を押圧すると、手持ち照明部３２３が点灯し、なお、押圧式スイッチ３２１を放すと、手持ち照明部３２３が消灯する。機能変換スイッチ３２２が前記電力供給モードに切替えられるときには、押圧式スイッチ３２１を１回目に押圧すると、照明装置２０が点灯し、押圧式スイッチ３２１を２回目に押圧すると、照明装置２０が点滅し、なお、押圧式スイッチ３２１を３回目に押圧すると、照明装置２０が消灯する。
【００１９】
電池３１は、リチウムイオン電池である。
【００２０】
手持ち照明部３２３は、発光ダイオードにより発光するランプである。
【００２１】
帽子本体１０は、ハムレットでもよい。
【００２２】
より良い照明効果を達成したく、又は夜間に低い場所にある品物を探したいときには、収容袋１１１から電力供給装置３０を取出して、機能変換スイッチ３２２を手持ち照明モードに切替えて、押圧式スイッチ３２１を押圧すると、手持ち照明部３２３が持続に点灯するようになり、このとき、図６に示すように、電力供給装置３０が手持ち照明装置になる。
【００２３】
暗い場所にユーザの両手が手持ち照明装置を持ちたくないときには、機能変換スイッチ３２２を電力供給モードに切替えると、図５に示すように、照明装置２０の後照明部２２と前照明部２１が点灯して、前後の相手にユーザの存在を警告する。
【符号の説明】
【００２４】
１０：帽子本体
１１：着用部
１２：帽子ツバ
２０：照明装置
２１：前照明部
２２：後照明部
３０：電力供給装置
３１：電池
３２：制御ユニット
３３：ケース
３４：電池台
４０：変圧器
４１：コンセント
１１１：収容袋
３２１：押圧式スイッチ
３２２：機能変換スイッチ
３２３：手持ち照明部
３２４：前照明部コネクタ
３２５：後照明部コネクタ
３２６：充電コネクタ
３４１：収容空間
【産業上の利用可能性】
【００２５】
本考案は、帽子に適用することができる。
【図１】
0003159050.tif 000003
【図２】
0003159050.tif 000004
【図３】
0003159050.tif 000005
【図４】
0003159050.tif 000006
【図５】
0003159050.tif 000007
【図６】
0003159050.tif 000008
【図７】
0003159050.tif 000009